(57)【要約】      （修正有）【課題】分解、組立が容易で短時間、安全性を確保できる。【解決手段】一方の連結部材１は、突起部１００を有し、他方の連結部材２は、一方の連結部材の突起部を装着できる穴部２００を有してなる。当該連結部材１，２を足場板に一体に組込んでもよい。又、一方の足場板に突起部を有させ、他方の足場板に当該突起部を装着できる穴部を有してなるようにしてもよい。【選択図】図１
0003111393.tif 000002
【実用新案登録請求の範囲】
【請求項１】
足場における足場板と足場板とを連結する足場板連結具において、当該足場板連結具は、分解し又は組立てることができる２個の連結部材を備え、一方の連結部材は、突起部を有し、他方の連結部材は、前記一方の連結部材の突起部を装着できる穴部を有してなることを特徴とする足場板連結具。
【請求項２】
足場板連結具における一方の連結部材は、本体部の両面側に突起部を有し、他方の連結部材は、前記一方の連結部材の突起部を装着できる穴部を有してなり、当該一方の連結部材の片面側の突起部を当該他方の連結部材の穴部に装着すると共に、当該一方の連結部材の他方の片面側の突起部を当該他方の連結部材の穴部に装着することを特徴とする、請求項１に記載の足場板連結具。
【請求項３】
突起部を有してなる一方の連結部材を連結しようとする一方の足場板に一体に又は取外し可能に組込むと共に、当該一方の連結部材の当該突起部を装着できる穴部を有してなる他方の連結部材を連結しようとする他方の足場板に一体に又は取外し可能に組込してなることを特徴とする足場構成部材。
【請求項４】
請求項２における本体部の両面側に突起部を有する一方の連結部材に使用することができる足場構成部材であって、当該一方の連結部材の突起部を装着できる穴部を有してなる他方の連結部材を連結しようとする各足場板に一体に又は取外し可能に組込してなることを特徴とする足場構成部材。
【請求項５】
突起部を有する一方の足場板と当該突起部を装着できる穴部を有してなる他方の足場板とを備えてなることを特徴とする足場構成部材。
【考案の詳細な説明】
【技術分野】
【０００１】
本考案は、足場板連結具および足場構成部材に関するものである。
【背景技術】
【０００２】
建設工事現場などでは、作業床や作業員の通路などの目的で足場が組まれ、当該足場には足場板が使用される。
従来、足場板と足場板とを繋ぎ合わせるのに、例えば、図１２に示すように、一方の足場板１２００の端部と他方の足場板１２０１の端部とを重ね合わせて、針金１２０２により縛って繋ぎ合わせていた。
こうした足場板の連結方法は、足場板１２００と足場板１２０１との間に大きな段差を生じるために、作業者が蹴躓いたり、転倒して大きな怪我につながったりする。又、針金１２０２による結束は足場の設置に長時間を要したり、針金１２０２は切断しやすく事故につながったりするなどの問題があった。
【考案の開示】
【考案が解決しようとする課題】
【０００３】
本考案は、上記従来技術の有する問題点を解消し得る技術を提供することを目的としたものである。
本考案の他の目的や新規な特徴については本件明細書及び図面の記載からも明らかになるであろう。
【課題を解決するための手段】
【０００４】
本考案の実用新案登録請求の範囲は、次の通りである。
（請求項１）足場における足場板と足場板とを連結する足場板連結具において、当該足場板連結具は、分解し又は組立てることができる２個の連結部材を備え、一方の連結部材は、突起部を有し、他方の連結部材は、前記一方の連結部材の突起部を装着できる穴部を有してなることを特徴とする足場板連結具。
（請求項２）足場板連結具における一方の連結部材は、本体部の両面側に突起部を有し、他方の連結部材は、前記一方の連結部材の突起部を装着できる穴部を有してなり、当該一方の連結部材の片面側の突起部を当該他方の連結部材の穴部に装着すると共に、当該一方の連結部材の他方の片面側の突起部を当該他方の連結部材の穴部に装着することを特徴とする、請求項１に記載の足場板連結具。
（請求項３）突起部を有してなる一方の連結部材を連結しようとする一方の足場板に一体に又は取外し可能に組込むと共に、当該一方の連結部材の当該突起部を装着できる穴部を有してなる他方の連結部材を連結しようとする他方の足場板に一体に又は取外し可能に組込してなることを特徴とする足場構成部材。
（請求項４）請求項２における本体部の両面側に突起部を有する一方の連結部材に使用することができる足場構成部材であって、当該一方の連結部材の突起部を装着できる穴部を有してなる他方の連結部材を連結しようとする各足場板に一体に又は取外し可能に組込してなることを特徴とする足場構成部材。
（請求項５）突起部を有する一方の足場板と当該突起部を装着できる穴部を有してなる他方の足場板とを備えてなることを特徴とする足場構成部材。
【考案の効果】
【０００５】
本考案の足場板連結具は、分解・組立が容易で、２個の連結部材の一方の連結部材の突起部を他方の連結部材の穴部に装着すれば容易に足場板と足場板とを連結させることができるので短時間に足場を構築することができ、又、一方の連結部材の突起部と他方の連結部材の穴部との装着により、足場板と足場板とは重ね合わせではなく面一に連結させることができるので、足場板と足場板との間に段差を生じることがなく、作業者が蹴躓いたり、転倒して大きな怪我につながったりすることもなく安全性を確保でき、更には、当該２個の連結部材は、それぞれ連結しようとする足場板と足場板の裏面に装着できるようになっているので、足場板の表面を歩いた時に足場板や足場に足場板連結具が組み込まれていることを殆んど意識することがない。
又、請求項２に記載の足場板連結具は、同様に、分解・組立が容易で、面一に連結させることができるので、足場板と足場板との間に段差を生じることがなく、作業者が蹴躓いたり、転倒して大きな怪我につながったりすることもなく安全性を確保でき、足場板連結具が組み込まれていることを殆んど意識することがないが、特に、請求項２に記載の足場板連結具における一方の連結部材は本体部の両面側に突起部を有し、当該両面側の突起部を他方の連結部材の穴部に装着すればよいので、より一層容易・短時間に足場を構築することができる。
更に、本考案は、当該足場板連結具を用いた足場構成部材を提供するもので、上記のような作用効果があることはもちろん、突起部を有してなる一方の連結部材を連結しようとする一方の足場板に一体に又は取外し可能に組込むと共に、当該一方の連結部材の当該突起部を装着できる穴部を有してなる他方の連結部材を連結しようとする他方の足場板に一体に又は取外し可能に組込してなり、予じめ、当該足場板連結具が足場板に一体に又は取外し可能に組込まれているので、工事現場で足場板連結具を組込む必要がないので、足場を更により一層容易・短時間に構築することができる。
請求項４に記載の足場構成部材は、請求項２に記載の本体部の両面側に突起部を有する一方の連結部材の当該突起部を装着できるようにしてなるもので、連結しようとする各足場板に、一方の連結部材の当該突起部を装着できる穴部を有してなる他方の連結部材を一体に又は取外し可能に組込してなり、請求項２に記載の本体部の両面側に突起部を有する一方の連結部材に適用でき、容易・短時間に足場を構築することができるが、それに加えて、又、請求項３に記載のように、予じめ、当該一方の連結部材の当該突起部を装着できる穴部を有してなる他方の連結部材が、足場板に一体に又は取外し可能に組込まれているので、工事現場で足場板連結具を組込む必要がなく、両者があいまって、足場を更により一層容易・短時間に構築することができる。
請求項５に記載の足場構成部材は、一方の足場板そのものに突起部を有させ、又、他方の足場板には、当該と突起部を装着できる穴部を有しさせるようにしたので、当該突起部と穴部を装着していくことにより、簡単に足場板を連結していくことができる。
【考案を実施するための最良の形態】
【０００６】
次に、本考案の実施例を図面に基づいて説明する。
【実施例】
【０００７】
実施例１．
図１に示すように、足場板連結具Ｒは、２個の連結部材１、２を備えてなる。
一方の連結部材１は、他方の連結部材２との連結側の正面部に突起部１００を突設している。
図８に示すように、当該一方の連結部材１における当該突起部１００は左右に２箇所設けられている。
図８において、当該突起部１００のそれぞれの内側に設けられた穴１０１は、他方の連結部材２との固定穴（取付穴）で、当該連結穴１０１と他方の連結部材２の対向する位置に開けられた固定穴２０１とにボルト・ナットなどの締結部材（図示省略）を挿通させて、当該一方の連結部材１と他方の連結部材２とを締結固定させることができる。
図１に示すように、一方の連結部材１の側面部には、足場板と取付固定するための固定穴（取付穴）１０２が設けられている。
前記の固定穴２０１は、足場板と取付固定するための固定穴（取付穴）としても使用することができる。
図１に示すように、当該一方の連結部材１の当該側面部の上部には、リブ部１０３が設けられている。
【０００８】
図１に示すように、足場板連結具Ｒにおける他方の連結部材２の一方の連結部材１との連結側の正面部には、一方の連結部材１における突起部１００に対向する位置に穴部２００が設けられている。
図１に示すように、当該他方の連結部材２における当該穴部２００は左右に２箇所設けられている。
当該他方の連結部材２における当該穴部２００は、図６に示すように、筒状体２０００の内部空間に設けられており、当該筒状体２０００は、前記の一方の連結部材１における突起部１００を装着できる大きさに構成され、その内部空間の穴部２００も、当該突起部１００を装着できる大きさに構成されている。
図１に示すように、当該穴部２００のそれぞれの内側に設けられた穴２０１は、前記のように、一方の連結部材１との固定穴で、当該固定穴２０１と一方の連結部材１の対向する位置に開けられた固定穴１０１とにボルト・ナットなどの締結部材（図示省略）を挿通させて、当該他方の連結部材２と一方の連結部材１とを締結固定することができる。当該穴２０１は、足場板と取付固定するための固定穴（取付穴）としても使用することができる。
図１に示すように、当該他方の連結部材２の側面部には、足場板と取付固定するための固定穴（取付穴）２０２が設けられている。
図１に示すように、当該他方の連結部材２の当該側面部の上部には、リブ部２０３が設けられている。
【０００９】
図６に示すように、一方の連結部材１の突起部１００を、他方の連結部材２における穴部２００に装着すると、一方の連結部材１と他方の連結部材２とを連結することができる。
図２は、一方の連結部材１と他方の連結部材２とを連結させた図である。
【００１０】
図２に示すように一方の連結部材１と他方の連結部材２とを連結させると、足場板と足場板とを連結させることが出来る。
図５（Ａ）は、足場板３の裏面図で、図５（Ｂ）は、足場板３の表面図である。
又、図５（Ｃ）は、当該足場板３を下方から見た図で、図５（Ｄ）に示すように、連結しようとしている各足場板３の端部に一方の連結部材１及び他方の連結部材２を装着し、一方の連結部材１の突起部１００を他方の連結部材２における穴部２００に装着して、当該一方の連結部材１と他方の連結部材２とを連結し、それに伴い、足場板３と足場板３とを連結する。
図３により、更に、各足場板３Ａ、３Ｂの端部に各連結部材１、２を装着する方法の一例を説明する。
当該足場板３Ａの連結しようとする端部の側面部に沿って当該足場板３Ａの内部に一方の連結部材１の側面部を装着する。当該足場板３Ａには、その図示が省略されているが、穴が開けられており、当該足場板３Ａの連結しようとする正面部に設けられた穴に、当該一方の連結部材１の突起部１００を挿通させ、当該一方の連結部材１の突起部１００を当該足場板３Ａの正面部から突き出しさせる。
一方、他方の足場板３Ｂの連結しようとする端部の側面に沿って当該足場板３Ｂの内部に他方の連結部材２の側面部を装着する。当該他方の足場板３Ｂの正面部には穴が開けられており、当該穴と当該他方の連結部材２の穴部２００とが位置合わせされている。
図３（Ｂ）に示すように、それぞれ各連結部材１、２が内部に装着された各足場板３Ａ、３Ｂを当接して、一方の連結部材１の突起部１００を他方の連結部材２における穴部２００に装着すると、当該足場板３Ａ、３Ｂは、その端部において連結される。
図４は、当該足場板３Ａ、３Ｂとが、端部において連結された様子を示す。
それぞれ各連結部材１、２が内部に装着された各足場板３Ａ、３Ｂは、一方の連結部材１の突起部１００と他方の連結部材２における穴部２００との装着を解くと、容易に当該足場板３Ａ、３Ｂはその連結を解き、分解することができる。
【００１１】
足場において足場板と足場板とは、図５（Ｂ）に示すようなその表面側を繋いでいく。
上記のように、各連結部材１、２は各足場板３Ａ、３Ｂの裏面側にて装着されるが、足場において当該足場板と足場板とを連結させるに、当該足場板の表面側を表に出す。
図７に示すように、足場板３Ａに装着された一方の連結部材１の突起部１００を、足場板３Ｂに装着された他方の連結部材２の穴部２００に装着して、当該足場板３Ａ、３Ｂを、その端部において連結する。
繋がれた足場板表面を作業者が歩くときに、一方の連結部材１及び他方の連結部材２におけるリブ部１０３及びリブ部２０３は、作業者の体重などを支え補強することができる。
【００１２】
上記では、各足場板３Ａ、３Ｂの端部に各連結部材１、２を装着していたが、図５（Ｄ）に示すように、突起部１００を有してなる一方の連結部材１を、予じめ、一方の足場板３に一体に組込むと共に、予じめ、他方の連結部材２を連結しようとする他方の足場板３に一体に組込しておくと、工事現場で、その都度、これら一方の連結部材１及び他方の連結部材２を組込む必要がないので、足場を更により一層容易・短時間に構築することができる。
当該各足場板３Ａ、３Ｂと各連結部材１、２とからなる足場構成部材Ｐは、一体に製造することができる。
各連結部材１、２を各足場板３Ａ、３Ｂから取外し可能なようにしておいてもよい。
上記のように、当該各足場板３Ａ、３Ｂと各連結部材１、２とからなる足場構成部材Ｐを一体に製造する場合、各連結部材１、２の側面部を適宜省略させることもできる。
又、各連結部材１、２の正面部を適宜省略することもできる。
【００１３】
実施例２．
図９は、本考案の他の実施例を示し、図９（Ａ）に示すように、突起部１０００を有する一方の足場板３Ａと当該突起部１０００を装着できる穴部２００を有してなる他方の足場板３Ｂとを備えてなるもので、一方の足場板３Ａそのものに突起部１０００を有させ、又、他方の足場板３Ｂには、当該と突起部１０００を装着できる穴部２００を有しさせるようにしたので、図９（Ｂ）、（Ｃ）に示すように、当該足場板３Ａの突起部１０００と足場板３Ｂの穴部２００とを装着していくことにより、簡単にこれら足場板３Ａ、３Ｂを連結していくことができる。
当該突起部１０００を有する一方の足場板３Ａと当該突起部１０００を装着できる穴部２００を有してなる他方の足場板３Ｂとを備えてなる足場構成部材Ｐは、その組立てが容易で、一方、その分解も容易である。
【００１４】
実施例３．
図１０は、本考案の更に他の実施例を示し、足場板連結具は、前記実施例１と同様に分解し又は組立てることができる。
連結部材は、前記実施例１と同様に突起部を有する一方の連結部材と当該一方の連結部材の当該突起部を装着できる穴部を有する他方の連結部材とからなるが、当該一方の連結部材における突起部は、前記実施例１とは異なり、本体部の両面側に突起部を有し、当該一方の連結部材の片面側の突起部を当該他方の連結部材の穴部に装着すると共に、当該一方の連結部材の他方の片面側の突起部を当該他方の連結部材の穴部に装着するように構成されている。
図１０に従い当該足場板連結具について説明するに、図１０に示すように、一方の連結部材４の本体部５には、その両面側に突起部１００を有し、一例を示すように、総計４個の突起部１００を有してなる。
当該突起部１００は、本体部５の片面側と他方の片面側とに分けて形成してもよいし、１本の棒状の突起部１００を当該本体部５に挿通させて形成してもよい。
図１１（Ａ）に当該一方の連結部材４の正面図を示す。
図１１（Ａ）に示すように、前記実施例１のような当該突起部１００のそれぞれの内側に設けられていた他方の連結部材２との固定穴（取付穴）１０１は必要がなく、又、他方の連結部材２との間で締結固定させるためのボルト・ナットなどの締結部材も必要がなくなる。
更に、図１１（Ａ）に示すように、当該一方の連結部材４の側面部には、前記実施例１とは異なり、足場板との間で取付固定するための固定穴（取付穴）１０２は必要がない
当該一方の連結部材４における本体部５は、図１１（Ａ）に示すように、平板状に構成されており、前記実施例１とは異なり、その側面部は必要がなく、又、リブ部１０３も省略できる。
当該一方の連結部材４と他方の連結部材２とは、図９に示すように、当該一方の連結部材の片面側と他方の片面側とで両側で装着される。
【００１５】
当該他方の連結部材２は、一方の連結部材４の片面側の突起部１００に合わせて２個の穴部２００を有していればよい。
当該他方の連結部材２は、前記実施例１と同様の構成になっていればよい。
前記実施例１と同様に、当該他方の連結部材２における当該穴部２００は左右に２箇所設けられている。
当該他方の連結部材２における当該穴部２００は、前記の図６に示すように、筒状体２０００の内部空間に設けられており、当該筒状体２０００は、上記の一方の連結部材４における突起部１００を装着できる大きさに構成され、その内部空間の穴部２００も、当該突起部１００を装着できる大きさに構成されている。
図１１（Ｂ）に当該他方の連結部材２の正面図を示す。
図１１（Ｂ）に示すように、前記実施例１とは異なり、前記実施例１のような当該穴部２００のそれぞれの内側に設けられていた他方の連結部材２との固定穴（取付穴）２０１は必要がなく、又、一方の連結部材１との間で締結固定させるためのボルト・ナットなどの締結部材も必要がなくなる。
【００１６】
当該他方の連結部材２は、前記実施例１と同様に、足場板３の端部裏面側に装着する。
図１０に示すように、当該他方の連結部材２は、４個の突起部１００を有する一方の連結部材４を中心としてその左右の連結しようとする足場板３Ａ及び３Ｂのそれぞれに組み込みする。
当該他方の連結部材２の各足場板３Ａ及び３Ｂへの組み込みは、前記実施例１と同様であり、当該他方の連結部材２の側面部を当該足場板３Ａ及び３Ｂの連結しようとする各端部の側面部に沿って装着する。又、当該他方の連結部材２は、各足場板３Ａ及び３Ｂとボルト・ナットなどの締結部材により締付固定する。
図１０（Ｂ）に示すように、当該一方の連結部材４の片面側の突起部１００を、当該他方の連結部材２の穴部２００に装着すると共に、当該一方の連結部材４の他方の片面側の突起部２００を当該他方の連結部材２の穴部２００に装着する。
足場において足場板と足場板とは、図５（Ｂ）に示すようなその表面側を繋いでいく。
上記のように、当該各々他方の連結部材２は、各足場板３Ａ、３Ｂの裏面側にて装着されるが、図１０（Ａ）及び（Ｂ）に示すように、足場においては、当該足場板３Ａと足場板３Ｂとを連結させるに、当該足場板３Ａ，３Ｂの表面側を表に出す。
４個の突起部１００を有する一方の連結部材４を中心として当該他方の連結部材２が装着され、当該足場板３Ａ、３Ｂは、その端部において連結される。
各他方の連結部材２が内部に装着された各足場板３Ａ、３Ｂは、一方の連結部材４の突起部１００と他方の連結部材２における穴部２００との装着を解くと、容易に当該足場板３Ａ、３Ｂはその連結を解き、分解することができる。
【００１７】
上記では、各足場板３Ａ、３Ｂの端部に各々他方の連結部材２を装着していたが、図１０（Ａ）及び（Ｂ）に示すように、各足場板３Ａ、３Ｂの端部に各々他方の連結部材２を、予じめ、一体に組込した足場構成部材Ｐを製造しておき、４個の突起部１００を有する一方の連結部材４を中心としてその左右の予じめ他方の連結部材２が組込まれた足場構成部材Ｐを装着すると、工事現場で、その都度、当該他方の連結部材２を足場板３Ａ、３Ｂに組込む必要がないので、足場を更により一層容易・短時間に構築することができる。
当該他方の連結部材２を各足場板３Ａ、３Ｂから取外し可能なようにしておいてもよい。
上記のように、当該各足場板３Ａ、３Ｂと各他方の連結部材２とからなる足場構成部材Ｐを一体に製造する場合、当該他方の連結部材２の側面部を適宜省略させることもできる。
又、各他方の連結部材２の正面部を適宜省略することもできる。
【００１８】
本考案は上記実施例に限定されず、適宜変更が可能であり、例えば、前記実施例では、２個の連結部材で足場板連結具を構成する例を示したが、３個以上としてもよい。
【産業上の利用可能性】
【００１９】
本考案の足場板連結具は、建築工事の他、土木工事、電気工事、管工事、左官工事などの建設業法に定められた各種工事などに適用される。
【図面の簡単な説明】
【００２０】
【図１】本考案の実施例を示す足場板連結具の分解時の一例斜視図である。
【図２】本考案の実施例を示す足場板連結具の組立時の一例斜視図である。
【図３】（Ａ）、（Ｂ）それぞれ本考案の実施例を示す足場板連結具の足場板への装着方法の一例斜視図である。
【図４】本考案の実施例を示す足場板に装着した足場板連結具の連結時の一例斜視図である。
【図５】（Ａ）（Ｂ）、（Ｃ）それぞれ本考案に使用される足場板の実施例を示す斜視図、（Ｄ）本考案の実施例を示す足場板連結具の足場板への装着時の一例斜視図である。
【図６】（Ａ）、（Ｂ）それぞれ本考案の実施例を示す足場板連結具の連結を説明する断面図である。
【図７】（Ａ）、（Ｂ）それぞれ本考案の他の実施例を示す足場板連結具の平面図である。
【図８】本考案の実施例を示す一方の連結部材１の正面図である。
【図９】（Ａ）、（Ｂ）（Ｃ）それぞれそれぞれ本考案の他の実施例を示す足場板の一例平面図である。
【図１０】（Ａ）、（Ｂ）それぞれ本考案の更に他の実施例を示す足場板連結具の分解時の一例平面図である。
【図１１】（Ａ）本考案の更に他の実施例を示す一方の連結部材の正面図、（Ｂ）本考案の更に他の実施例を示す他方の連結部材２の正面図である。
【図１２】従来例の説明図である。
【符号の説明】
【００２１】
１    一方の連結部材
２    他方の連結部材
３    足場板
４    一方の連結部材
１００  突起部
２００  穴部
Ｐ      足場構成部材
【図１】
0003111393.tif 000003
【図２】
0003111393.tif 000004
【図３】
0003111393.tif 000005
【図４】
0003111393.tif 000006
【図５】
0003111393.tif 000007
【図６】
0003111393.tif 000008
【図７】
0003111393.tif 000009
【図８】
0003111393.tif 000010
【図９】
0003111393.tif 000011
【図１０】
0003111393.tif 000012
【図１１】
0003111393.tif 000013
【図１２】
0003111393.tif 000014